(57)【特許請求の範囲】
【請求項１】
無線通信システムにおける、移動機へのメッセージに時刻の記録を行う時刻記録方法において、
第１の時刻に、メッセージセンタで移動機へのメッセージを受信するステップと、
前記移動機のホーム位置レジスタに質問し、移動機が無線通信システムに登録されているかを求めるステップと、
前記移動機が登録されていれば、移動機が登録されている移動通信交換センタを識別する情報を前記ホーム位置レジスタから受信するステップと、
メッセージセンタと、識別された移動通信交換センタの時間差を求めるステップと、
前記第１の時刻と前記時間差を用いて前記メッセージに対応する時刻記録を生成するステップと、
を有することを特徴とする時刻記録方法。
【請求項２】
請求項１に記載の方法において、
前記移動機が登録されていないことが求まると、メッセージと第１の時刻を記憶し、この第１の時刻は、前記移動機のその後の登録にもとづく移動機位置情報の受信に従い変更されることを特徴とする時刻記録方法。
【請求項３】
移動受信者へのメッセージに時刻記録を行う時刻記録システムにおいて、
移動受信者が登録されている位置の情報を保持するホーム位置レジスタと、
移動受信者へのメッセージを受信し、前記ホーム位置レジスタに移動受信者の位置の識別を質問するメッセージセンタと、
識別された移動受信者の位置の時間帯を識別する時間帯データベースと、が含まれ、
前記メッセージセンタが、前記時間帯データベースにより示される時間帯情報を用いて前記受信したメッセージに時刻記録を行うことを特徴とする時刻記録システム。
【請求項４】
請求項３に記載のシステムにおいて、
前記位置の識別は、移動機が登録される移動通信交換センタを示すことを特徴とするシステム。
【発明の詳細な説明】
【０００１】
【発明の属する技術分野】
本発明は、メッセージ受信者の位置に基づいてメッセージに時刻を記録する方法に関し、特に、意図するメッセージ受信者の位置を求め、意図する受信者が所在する位置に対応する時刻を反映させ受信時刻記録を調整する方法に関する。
【０００２】
【従来の技術】
通信システムにおいて、メッセージサービスの提供が知られている。このメッセージサービスの例には、ＰＣＳセルラ網で提供されるショートメッセージサービス(ＳＭＳ)がある。このＰＣＳセルラ網は、ＩＳー１３６プロトコル(TIA/EIA/IS-136.1-A 1996年10月 TIA/EIA/IS-136.2 1996年10月)で運用されるものである。このような網においては、セルラ加入者は、その位置に関わりなくメッセージを含むパケットを受信することができる。ＩＳ−１３６標準では、加入者に伝送されるメッセージに、メッセージの受信時刻を示す時刻記録を含むことが規定されている。しかし、この標準には、メッセージ受信時にセルラ加入者が位置する時間帯に、時刻記録をすべて合わせるべきかについては示されていない。
【０００３】
【発明が解決しようとする課題】
メッセージは、セルラ加入者に配信するため最初の受信が行われる時間帯に従い時刻記録が行われる。これでは、その時刻が付されたメッセージが、加入者に送出されるので、意図する受信者には混乱が生じる。たとえば、メッセージセンタが、ある時間帯、たとえば、太平洋標準時にあるとし、その時間帯の午後１時に、メッセージが受信されるとし、さらに、セルラ加入者が、第２の時間帯、１時間進んだ時間帯（山地標準時）にあるとする。このようにして、メッセージが、山地標準時午後２時にメッセージセンタで受信され、このメッセージが、第２時間帯の午後２時１５分にセルラ加入者に配信されると、この時刻記録は、第１時間帯に合わせ午後１時を示しており、セルラ加入者は、このメッセージが実際にはいつメッセージセンタで受信されたのか混乱する。この混乱が除かれれば有益である
【課題を解決するための手段】
本発明によれば、意図するメッセージ受信者の時間帯と、異なる時間帯にあるメッセージセンタに、メッセージが受信されるとき起きる混乱が除かれる。本発明の実施形態に従えば、メッセージセンタは、メッセージセンタが位置する時間帯に従い、メッセージセンタで受信する時刻を受け記録する。次いで、メッセージセンタは、意図するメッセージ受信者の位置を求める。メッセージセンタは、その位置の時間帯を求め、受信時刻を意図する受信者の時間帯に変換する。
【０００４】
本発明は、無線通信システムにおける、移動機へのメッセージに時刻の記録を行う時刻記録方法において、第１の時刻に、メッセージセンタで移動機へのメッセージを受信するステップと、前記移動機のホーム位置レジスタに質問し、移動機が無線通信システムに登録されているかを求めるステップと、前記移動機が登録されていれば、移動機が登録されている移動通信交換センタを識別する情報を前記ホーム位置レジスタから受信するステップと、メッセージセンタと、識別された移動通信交換センタの時間差を求めるステップと、前記第１の時刻と前記時間差を用いて前記メッセージに対応する時刻記録を生成するステップとを有することを特徴とする。
【０００５】
本発明の実施形態において、前記移動機が登録されていないことが求まると、メッセージと第１の時刻を記憶し、この第１の時刻は、前記移動機のその後の登録にもとづく移動機位置情報の受信に従い変更される。
【０００６】
また、本発明は、移動受信者へのメッセージに時刻記録を行う時刻記録システムにおいて、移動受信者が登録されている位置の情報を保持するホーム位置レジスタと、移動受信者へのメッセージを受信し、前記ホーム位置レジスタに移動受信者の位置の識別を質問するメッセージセンタと、識別された移動受信者の位置の時間帯を識別する時間帯データベースと、が含まれ、前記メッセージセンタが、前記時間帯データベースにより示される時間帯情報を用いて前記受信したメッセージに時刻記録を行うことを特徴とする。
【０００７】
本発明の実施形態において、前記位置の識別は、移動機が登録される移動通信交換センタを示す。
【００１７】
【発明の実施の形態】
図１に、本発明が実現されるシステムの概略を例示する。特に、図１では、３つの時間帯に、無線通信網のそれぞれの部分が位置する例を示す。時間帯３には、信号転送ポイント（ＳＴＰ）１０、１１がある（１つの信号転送ポイントが設けられることもあるが、一般には、信号転送ポイントは、バックアップのため対で割り当てられる。）。移動通信交換センタ（ＭＳＣ）１２は、信号転送ポイントに接続される。セル基地局１３は、ＭＳＣに接続される。次いで、セル基地局１３は、そのセル基地局が受け持つセルに所在する移動機と空中を通し通信を行う。ＳＴＰ２１、２２は、時間帯２に位置し、ＭＳＣ２３に接続される。ＭＳＣ２３は、セル基地局２４に接続される。時間帯２に、無線電話機が素子２５で示されている。さらに、セルラ網には、時間帯１に、ＭＳＣ３２に接続されるＳＴＰ３０、３１が含まれ、このＳＴＰ３０、３１は、セル基地局３３に接続される。セル基地局は、移動装置、たとえば装置３５と通信を行う。ＳＴＰ３０、３１は、ホーム位置レジスタ（３８、３９）ＨＬＲに接続される。これらＨＬＲには、このＳＴＰに収容される領域をホーム領域とする移動機に関する情報が記憶される。ＨＬＲにより、移動機のセルラ網での移動が追跡される。たとえば、携帯装置２５のホーム領域が時間帯１であり、ＳＴＰ３０、３１に収容されているとすると、装置２５に関する情報は、ＨＬＲ３８、３９に保持される。これらＨＬＲには、装置２５が、現在ＭＳＣ２３に収容されていることを示す情報が記憶されている。
【００１８】
本発明に従うメッセージセンタ構成の実施形態に従えば、メッセージセンダは、幾つでもよい通信網を通しメッセージセンタ１または２にメッセージを送信する。網の１例が、一般加入電話網（ＰＳＴＮ）として図１に示されている。メッセージセンダは、意図する受信者の識別子と共にメッセージをメッセージセンタに送信する。メッセージセンタは、ＳＴＰ３０、３１を経由し、データベース４０に質問を行い、メッセージと共に受信した受信者識別子に対応する移動機識別番号（ＭＩＮ）を確定する。このデータベースのエントリの例が、図２に示される。メッセージセンダにより受信者識別子として送信される個人識別番号（ＰＩＮ）は、移動機識別番号（ＭＩＮ）と関連付けられている。ＭＩＮが求まると、メッセージセンタは、別のデータベースに質問し、その移動機のＨＬＲすなわちホーム位置レジスタを求めることができる。このデータベースは、グローバルタイトル変換データベースとして示される。この変換データベースのエントリの例が、図３に示される。次いで、メッセージセンタは、ＨＬＲ情報を取得し、メッセージの意図する受信者を収容するＨＬＲに質問を生成する。ＨＬＲは、移動機が最後に登録されたＭＳＣの識別と、登録のステータス、すなわち加入者が現在そのＭＳＣに登録されているか否かの情報を送り返す。移動局が現在ＭＳＣに登録されていることを示す通知を、メッセージセンタが受信すると、メッセージセンタは、別のデータベースに質問し、識別した収容ＭＳＣと、ＭＳＣが位置する時間帯を関連付ける。このデータベースのエントリの例が、図４に示される。ＭＳＣの時間帯が求まると、メッセージセンタは、メッセージを受信した自身の時間帯の時刻を、現在移動機を収容しているＭＳＣの時間帯に変換することができる。この変換は、メッセージセンタの時間帯と移動機が登録されているＭＳＣの時間帯の時間差を知ることにより可能である。次いで、メッセージは組み立てられ、これには、メッセージの他に時刻記録が含まれる。この時刻記録は、メッセージセンタで受信した時刻を、意図する受信者が所在する時間帯に置き換えたものである。このメッセージの例を図５に示す。
【００１９】
メッセージ時刻記録を生成する処理の実施形態を例示するフローチャートを、図６に示す。この処理は、上で述べた動作を満足するものであり、以下でさらに説明し明確にする。
【００２０】
ステップ６０１において、メッセージセンタに、メッセージと、個人識別番号（ＰＩＮ）から構成される意図する受信者の識別子を受信する。また、メッセージセンタは、受信したメッセージについて、メッセージセンタの時間帯の時刻を記録する。次いで、ステップ６０２において、メッセージセンタは、ＰＩＮを、ＭＩＮに従って、意図する受信者のホーム位置レジスタに変換する。次いで、ステップ６０３において、メッセージセンタは、ホームＨＬＲに質問し、意図する受信者が最後に登録されたＭＳＣを求める。しかし、ＨＬＲに、受信者が現在登録されていないことが示されていれば、ステップ６０４において、メッセージセンタは、単にメッセージを記憶し、登録通知を待つ。受信者が登録されたことが収容ＭＳＣからＨＬＲに通知されると、ＨＬＲは、登録通知をメッセージセンタに送信し、メッセージセンタは、メッセージセンタがメッセージを受信したときに受信者が登録されたものとみなし、情報処理を進める。このようにして、ステップ６０５に進み、メッセージセンタは、収容ＭＳＣの位置の情報を取得し、ＭＳＣの時間帯を検出する。次いで、ステップ６０６において、メッセージセンタは、受信した時刻を収容ＭＳＣの時間帯に変換する。最後に、メッセージは、意図する受信者に転送される。
【００２１】
従って、本発明によれば、メッセージが受信された時刻のより有効な表示が意図する受信者に提供される。本発明により、メッセージが受信された時刻が記録され、メッセージを受信するセルラ加入者の移動を反映させた時刻に変換する方法が求められる。これにより、ＩＳー１３６標準を実装する別の試みで見られる混乱が除かれる。
【００２２】
本発明は、移動通信構成に関連させ説明したが、多数の意図するメッセージ受信者が異なる時間帯に所在するメッセージセンタまたはメッセージ中央保管センタのメッセージサービスにも同様に適用することができる。メッセージセンタでは、意図する受信者の位置を識別するデータベースが維持され、意図する受信者が位置する時間帯に関する情報を反映する時刻記録に変換が行われる。
【図面の簡単な説明】
【図１】  本発明の実施形態を実現する構成を例示する概略ブロック図である。
【図２】  メッセージ受信者と移動機を関連付けるデータベースの実施形態を例示する図である。
【図３】  移動機識別子の一部とホーム位置レジスタを関連付けるデータベースのエントリの実施形態を例示する図である。
【図４】  セルラ加入者を収容する交換機位置と各交換機の時間帯を関連付けるデータベースのエントリの実施形態を例示する図である。
【図５】  本発明に従いメッセージセンタから加入者に転送されるメッセージ内容の実施形態を例示する図である。
【図６】  本発明に従いメッセージに時刻を記録する方法の実施形態を説明するフローチャートである。
【符号の説明】
１，２  メッセージセンタ、１０，１１  信号転送ポイント、１２  移動通信交換センタ、１３  セル基地局、２１，２２  信号転送ポイント、２３  移動通信交換センタ、２４  セル基地局、２５  携帯装置、３０，３１  信号転送ポイント、３２  移動通信交換センタ、３３  セル基地局、３５  移動装置、３８，３９  ホーム位置レジスタ、４０  データベース。
【図１】
0004776049.tif 000002
【図２】
0004776049.tif 000003
【図３】
0004776049.tif 000004
【図４】
0004776049.tif 000005
【図５】
0004776049.tif 000006
【図６】
0004776049.tif 000007